(57)【要約】【課題】不良品を発生させないグリーンシート材の切断搬送装置および切断搬送方法を実現する。【解決手段】前進するキャリヤシート２４によって連続的に供給される長尺のグリーンシート材１０を、所望の寸法に切断して搬送するグリーンシート材の切断搬送装置４０であって、キャリヤシート２４から離脱して供給されたグリーンシート材１０を切断するカッター５０と、カッター５０の下方にほぼ水平に配置された板状部材であってカッター５０がグリーンシート材１０を切断するためのカッティングボード５２と、このカッティングボード５２の下方に間隔を空けて配置され、カッティングボード５２とほぼ平行な平板状の案内板５４と、カッティングボード５２と案内板５４との間をグリーンシート材１０の搬送方向前方に向かって流れるエアを供給する送風機５６とを備える。【選択図】図４
2010234663.tif 000002
【特許請求の範囲】
【請求項１】
前進するキャリヤシートによって連続的に供給される長尺のグリーンシート材を、所望の寸法に切断して搬送する装置であって、
前記キャリヤシートから離脱して供給された前記グリーンシート材を切断するカッターと、
前記カッターの下方にほぼ水平に配置された板状部材であって前記カッターが前記グリーンシート材を切断するためのカッティングボードと、
このカッティングボードの下方に間隔を空けて配置され、前記カッティングボードとほぼ平行な平板状の案内板と、
前記カッティングボードと前記案内板との間を前記グリーンシート材の搬送方向前方に向かって流れるエアを供給する送風機とを備えることを特徴とするグリーンシート材の切断搬送装置。
【請求項２】
前記送風機がさらに前記カッティングボードと前記グリーンシート材との間にエアを供給することを特徴とする請求項１に記載のグリーンシート材の切断搬送装置。
【請求項３】
前進するキャリヤシートによって連続的に供給される長尺のグリーンシート材を、所望の寸法に切断して搬送する方法であって、
前記キャリヤシート上から離脱して供給された前記グリーンシート材を前進させ、カッターとこのカッターの下方に配置されたカッティングボードとの間を通過させる前進工程と、
所定位置まで前進した前記グリーンシート材を、前記カッターおよびカッティングボードにより、前記グリーンシート材の前進方向に交差する幅方向に沿って切断し、このカッティングボードの前方に配置された台紙上の所定位置に載置する切断工程とを有し、
前記グリーンシート材の搬送方向前方に向けて流れるエアを前記カッティングボードの下に供給することを特徴とするグリーンシート材の切断搬送方法。
【請求項４】
さらに前記カッティングボードと前記グリーンシート材との間に、前記グリーンシート材の搬送方向前方に向けて流れるエアを供給することを特徴とする請求項３に記載のグリーンシート材の切断搬送方法。
【発明の詳細な説明】
【技術分野】
【０００１】
本発明は、多孔質焼結体のグリーンシート材の切断搬送装置および切断搬送方法に関する。
【背景技術】
【０００２】
従来、フィルタ、ガス拡散部材、放熱部材、吸水部材などに使用されるシート状の多孔質焼結体を製造するために、金属やセラミックス等の無機粉末、発泡剤、バインダ等を含む発泡性スラリーをキャリヤシート上で連続して長尺のシート状に成形し、発泡および乾燥させて所定の大きさに切断する、グリーンシート材の製造方法が提案されている（特許文献１参照）。
【先行技術文献】
【特許文献】
【０００３】
【特許文献１】特開２００８−１０５１９７号公報
【発明の概要】
【発明が解決しようとする課題】
【０００４】
グリーンシート材は、グリーンシート材の製造装置から、切断搬送装置によって所定の大きさに切断されて回収され、焼結炉等に搬送される。しかしながら、焼結前のグリーンシート材は柔らかく変形しやすいだけでなく、粘着性を有するので、切断や搬送が困難である。このため、切断搬送装置において切断や搬送に失敗し、次工程に使用できない不良品が発生する場合があった。
【０００５】
本発明は、このような事情に鑑みてなされたもので、グリーンシート材の切断搬送工程において不良品を発生させないことを目的とする。
【課題を解決するための手段】
【０００６】
本発明は、前進するキャリヤシートによって連続的に供給される長尺のグリーンシート材を、所望の寸法に切断して搬送する装置であって、前記キャリヤシートから離脱して供給された前記グリーンシート材を切断するカッターと、前記カッターの下方にほぼ水平に配置された板状部材であって前記カッターが前記グリーンシート材を切断するためのカッティングボードと、このカッティングボードの下方に間隔を空けて配置され、前記カッティングボードとほぼ平行な平板状の案内板と、前記カッティングボードと前記案内板との間を前記グリーンシート材の搬送方向前方に向かって流れるエアを供給する送風機とを備えるグリーンシート材の切断搬送装置である。
【０００７】
この切断搬送装置によれば、カッティングボードと案内板との間に前方へ向かうエアが流れることにより、切断前のグリーンシート材を浮上させた状態で前進させることができる。したがって、所定位置までグリーンシート材を確実に前進させ、所定寸法に切断することができる。
【０００８】
この切断搬送装置において、前記送風機がさらに前記カッティングボードと前記グリーンシート材との間にエアを供給することが好ましい。この場合、グリーンシート材がカッティングボードに付着することを効果的に防止できるので、切断搬送工程における不良品の発生をより確実に防止できる。
【０００９】
また、本発明は、前進するキャリヤシートによって連続的に供給される長尺のグリーンシート材を、所望の寸法に切断して搬送する方法であって、前記キャリヤシート上から離脱して供給された前記グリーンシート材を前進させ、カッターとこのカッターの下方に配置されたカッティングボードとの間を通過させる前進工程と、所定位置まで前進した前記グリーンシート材を、前記カッターおよびカッティングボードにより、前記グリーンシート材の前進方向に交差する幅方向に切断し、このカッティングボードの前方に配置された台紙上の所定位置に載置する切断工程とを有し、前記グリーンシート材の搬送方向前方に向けて流れるエアを前記カッティングボードの下に供給する。
【００１０】
この方法によれば、カッティングボードの下に前方へ流れるエアを供給することにより、グリーンシート材を確実に浮上させた状態で前進させることができる。したがって、所定位置までグリーンシート材を確実に前進させ、所定寸法に切断することができる。
【００１１】
この切断搬送方法において、さらに前記カッティングボードと前記グリーンシート材との間に、前記グリーンシート材の搬送方向前方に向けて流れるエアを供給することが好ましい。この場合、グリーンシート材がカッティングボードに付着することを効果的に防止できるので、切断搬送工程における不良品の発生をより確実に防止できる。
【発明の効果】
【００１２】
本発明のグリーンシート材の切断搬送装置および切断搬送方法によれば、カッティングボードの下に前方へ向かうエアが流れることにより、グリーンシート材を浮上させた状態で前進させることができるので、グリーンシート材の切断搬送工程における不良品の発生を抑えることができる。
【図面の簡単な説明】
【００１３】
【図１】グリーンシート材の製造装置を示す側面図である。
【図２】本発明に係るグリーンシート材の切断搬送装置を示す側面図である。
【図３】図２の切断搬送装置を示す上面図である。
【図４】図２の切断搬送装置における要部を示す拡大図である。
【図５】本発明に係るグリーンシート材の切断搬送方法において、カッターとカッティングボードとの間をグリーンシート材が前進する状態を示す図である。
【図６】本発明に係るグリーンシート材の切断搬送方法において、グリーンシート材が切断される状態を示す図である。
【図７】切断されたグリーンシート材が搬送される状態を示す図である。
【発明を実施するための形態】
【００１４】
以下、本発明に係るグリーンシート材の切断搬送装置および切断搬送方法について説明する。本発明の切断搬送装置は、図１に示すグリーンシート材製造装置２０によって製造され、連続的に供給される長尺のグリーンシート材１０を、所望の寸法に切断して搬送する装置である。
【００１５】
グリーンシート材製造装置２０は、回転するローラ２２によって前進するキャリヤシート２４の表面にドクターブレード２６を用いて均一厚さに塗布されたスラリーＳを発泡・乾燥させることにより、連続的にグリーンシート材１０を製造する装置である。
【００１６】
スラリーＳは、無機粉末（たとえば金属粉末、セラミクス粉末等）、発泡剤（たとえば炭化数５〜８の非水溶性炭化水素系有機溶剤等（ネオペンタン、ヘキサン、ヘプタン等））、有機バインダ（たとえばメチルセルロース、ヒドロキシプロピルメチルセルロース等）、溶媒（水）等を混合して製造され、ホッパ２８に貯蔵されている。
【００１７】
ホッパ２８に貯蔵されたスラリーＳは、前進するキャリヤシート２４上に供給され、キャリヤシート２４の表面から所定の高さに配置されたドクターブレード２６によって、所定の厚さのシート状に成形される。成形されたスラリーＳは、さらにキャリヤシート２４によって搬送され、発泡槽３０および加熱槽３２の内部を順次通過する。発泡槽３０では、高湿度雰囲気下で加熱処理が行われることにより、スラリーＳを乾燥させずに発泡させる。次いで、発泡状態のスラリーＳを加熱槽３２内で乾燥させることにより、無機粉末が有機バインダによって接合されてなるグリーンシート材１０が製造される。
【００１８】
キャリヤシート２４は、ＰＥＴフィルムからなり、ドクターブレード２６の下方に配置されたローラ２２とグリーンシート材製造装置２０の前方に配置された離脱装置３４の支持台３６とによってほぼ水平に支持されている。
離脱装置３４は、グリーンシート材製造装置２０によって製造されたグリーンシート材１０をキャリヤシート２４上から離脱させる装置であり、発泡槽３０および加熱槽３２の前方に設けられてキャリヤシート２４の内面を支持する支持台３６を有している。支持台３６は、その前端部においてキャリヤシート２４の進行方向をほぼ反転させており、これによりグリーンシート材１０をキャリヤシート２４から離脱させている。キャリヤシート２４から離脱したグリーンシート材１０は、図２および図３に示す切断搬送装置４０へ長尺のまま連続的に供給される。
【００１９】
切断搬送装置４０は、グリーンシート材製造装置２０から連続的に供給される長尺のグリーンシート材１０を所定の寸法のグリーンシート１２に切断し、搬送用の台紙Ｍ上に保持させて、容易に搬送可能な状態にする装置である。この切断搬送装置４０は、長尺のグリーンシート材１０を所定寸法のグリーンシート１２に切断する切断部４２と、グリーンシート１２を台紙Ｍ上に載せて搬送する搬送部４４とを備える。
【００２０】
切断部４２は、離脱装置３４（支持台３６）の前方に配置されており、図５に示すように、キャリヤシート２４から離脱装置３４により離脱して供給されたグリーンシート材１０を切断するカッター５０と、カッター５０の下方に配置され、カッター５０がグリーンシート材１０を切断するための台板であるほぼ水平な板状のカッティングボード５２と、このカッティングボード５２の下方に間隔を空けて配置され、カッティングボード５２とほぼ平行な平板状の案内板５４と、カッティングボード５２の後方すなわちカッティングボード５２と支持台３６との間に向けて、下方から斜め上前方に向かうエアを吹き出す送風機５６とを備える。
【００２１】
カッティングボード５２および案内板５４の上面は、グリーンシート材１０が付着しにくい樹脂コーティングを施した紙（図示せず）が貼付されている。これらカッティングボード５２および案内板５４は、幅方向の寸法はほぼ同じであって、搬送方向の寸法は案内板５４の方が大きく、カッティングボード５２の前方に案内板５４が突出している。案内板５４の後端には、下方にほぼ垂直に延びる防風部５４ａが設けられている。この防風部５４ａにより、送風機５６からのエアは案内板５４よりも下方に流れ込まず、効率よく前方へと流れている。
【００２２】
送風機５６は、カッティングボード５２と支持台３６との間に向けてエアを吹き出し、ここを通過するグリーンシート材１０を浮上させる。つまり、キャリヤシート２４から離脱したグリーンシート材１０は、エアによって浮上した状態でキャリヤシート２４によって押し出され、カッティングボード５２上を前進する。さらに、送風機５６から供給されるエアは、図４に示すように、カッティングボード５２とグリーンシート材１０との間だけでなく、カッティングボード５２の下方に配置された案内板５４とカッティングボード５２との間にも流入し、前方に向かって流れる。この気流により、カッティングボード５２よりも前方においても、グリーンシート材１０を浮上させることができる。
【００２３】
カッター５０は、グリーンシート材１０をその搬送方向に交差する方向（以下、幅方向）に切断するロータリーカッター５０ａと、このロータリーカッター５０ａを移動させるカッター移動装置５０ｂとを備える。ロータリーカッター５０ａは、カッティングボード５２上に下降して幅方向に移動することにより、ロータリーカッター５０ａとカッティングボード５２との間を前進するように供給されるグリーンシート材１０を切断する。カッター移動装置５０ｂは、ロータリーカッター５０ａを昇降させる昇降装置と、この昇降装置とともにロータリーカッター５０ａを幅方向に移動させるスライダ装置とを備える。
【００２４】
搬送部４４は、グリーンシート１２が載せられる台紙Ｍを保持して所定位置に給紙する給紙部６０と、グリーンシート１２が載せられた台紙Ｍを給紙部６０から移送する移送部６２と、移送部６２によって移送された台紙Ｍおよびグリーンシート１２を保持する蓄積部６４とを備える。
【００２５】
給紙部６０は、台紙Ｍを保持するトレイ６０ａと、このトレイ６０ａを支持して所定位置に移動させる移動装置６０ｂとを備える。トレイ６０ａは、台紙Ｍの後端を案内板５４の下方に位置させるように配置されており、トレイ６０ａ内に積層された台紙Ｍの上面が常に所定高さに位置するように、移動装置６０ｂによって移動される。また移動装置６０ｂは、トレイ６０ａを搬送方向に沿って進退させることができる。なお、このトレイ６０ａに対して、切断部４２が取り付けられている。このため、移動装置６０ｂによって、切断部４２はトレイ６０ａ（すなわち台紙Ｍ）と一体に進退することができる。
【００２６】
移送部６２は、トレイ６０ａに保持された台紙Ｍを吸着保持する吸着パッド６２ａと、搬送方向に沿って吸着パッド６２ａを進退させる移動装置６２ｂとを備える。吸着パッド６２ａが搬送方向後方に後退した位置で台紙Ｍの上面の前端部を吸着し、前進することにより、給紙部６０から蓄積部６４に台紙Ｍが移送される。
【００２７】
蓄積部６４は、移送部６２によって給紙部６０から移送された台紙Ｍの下面を支持する支持アーム６４ａと、給紙部６０の前方に配置され、支持アーム６４ａによって運ばれた台紙Ｍが積層される蓄積台６４ｂとを備える。支持アーム６４ａは蓄積台６４ｂの上方に配置され、水平方向に延びる複数の板状部材であり、アーム駆動部（図示せず）によって幅方向に開閉するように駆動される。この蓄積部６４において、台紙Ｍは、蓄積台６４ｂの上方で待機する支持アーム６４ａの上方に移動部６２によって搬送され、吸着パッド６２ａから外されて支持アーム６４ａ上にほぼ水平に載置される。そして、台紙Ｍを支持した支持アーム６４ａが幅方向に離間して蓄積台６４ｂ上から退避することにより、台紙Ｍは蓄積台６４ｂ上に落下し、蓄積される。
【００２８】
次に、以上説明した切断搬送装置４０を用いて、グリーンシート材を所望の寸法に切断して搬送する方法について説明する。
【００２９】
まず、図５に示すように、キャリヤシート２４の進行方向をほぼ反転させることにより、このキャリヤシート２４上に形成されたグリーンシート材１０をキャリヤシート２４から離脱させて切断部４２に供給し、このグリーンシート材１０を前進させて、この前進方向に交差する幅方向にグリーンシート材１０を切断するカッター５０とカッティングボード５２との間を通過させる（前進工程）。
【００３０】
グリーンシート材１０は、キャリヤシート２４から離脱すると、送風機５６の供給するエアによってカッティングボード５２から浮上しながら、キャリヤシート２４によって前方へ移動されることにより前進する。また、カッティングボード５２よりも前方へ前進したグリーンシート材１０は、カッティングボード５２上およびカッティングボード５２と案内板５４との間を流れるエアによって台紙Ｍ上から浮上して、さらに前進する。このとき、グリーンシート材１０がカッティングボード５２上に瞬間的に接触する場合もあるが、カッティングボード５２の下側にもエアが流れているので、グリーンシート材１０が台紙Ｍ等に付着して前進不能になることはほとんどない。
なお、グリーンシート材１０を前進させる間は、切断部４２およびトレイ６０ａを所定の待機位置に後退させておく。
【００３１】
次に、図６に示すように所定位置まで前進したグリーンシート材１０を、カッター５０およびカッティングボード５２により切断して、トレイ６０ａに保持された台紙Ｍ上の所定位置に載置する（切断工程）。グリーンシート材１０を切断する間は、グリーンシート材１０の前進に同期させてロータリーカッター５０ａおよびカッティングボード５２を前進させる。これにより、切断前のグリーンシート材１０の先端の変形を防止するとともに、グリーンシート材１０を幅方向に沿って直線的に切断することができる。
【００３２】
この切断工程において、送風機５６は、カッター５０、カッティングボード５２および案内板５４と一体に前進しながら、前進工程における風量よりも少ない風量で送風を続けている。このため、切断工程においては、グリーンシート材１０は前方から徐々に台紙Ｍ上に降下し、台紙Ｍに付着する。また、台紙Ｍを保持するトレイ６０ａも切断部４２と一体に前進しているので、グリーンシート材１０と台紙Ｍとの相対位置は変化せず、グリーンシート材１０は台紙Ｍ上の所定位置に平らに載置される。
【００３３】
そして、切断されたグリーンシート１２が付着した台紙Ｍ上に吸着パッド６２ａを下降させ、図７に示すように移送部６２を駆動して吸着パッド６２ａを前進させ、台紙Ｍとともにグリーンシート１２を蓄積部６４へと搬送する。
このとき、ロールカッター５０ａをグリーンシート材１０に接触しないように上昇させるとともに、切断工程において前進させた切断部およびトレイ６０ａを待機位置へと後退させ、引き続き前進工程および切断工程を行うことができる。
【００３４】
以上のように、連続供給されるグリーンシート材１０を切断して、所定寸法のグリーンシート１２を搬送することができる。すなわち、カッティングボード上およびカッティングボード５２と案内板５４との間に前方へ流れるエアを供給することによりグリーンシート材１０を浮上させ、カッター５０とカッティングボード５２との間を通過するグリーンシート材１０を確実に前進させることができる。これにより、前進したグリーンシート材１０を所定位置で切断できるので、切断されたグリーンシート１２を台紙Ｍ上に載せて容易に搬送することができる。
なお、本発明は前記実施形態の構成のものに限定されるものではなく、細部構成においては、本発明の趣旨を逸脱しない範囲において種々の変更を加えることが可能である。
【符号の説明】
【００３５】
１０  グリーンシート材
１２  グリーンシート
２０  グリーンシート製造装置
２２  ローラ
２４  キャリヤシート
２６  ドクターブレード
２８  ホッパ
３０  発泡槽
３２  加熱槽
３４  離脱装置
３６  支持台
４０  切断搬送装置
４２  切断部
４４  搬送部
５０  カッター
５０ａ  ロータリーカッター
５０ｂ  カッター移動装置
５２  カッティングボード
５４  案内板
５４ａ  防風部
５６  送風機
６０  給紙部
６０ａ  トレイ
６０ｂ  移動装置
６２  移送部
６２ａ  吸着パッド
６２ｂ  移動装置
６４  蓄積部
６４ａ  支持アーム
６４ｂ  蓄積台
Ｍ  台紙
Ｓ  スラリー
【図１】
2010234663.tif 000003
【図２】
2010234663.tif 000004
【図３】
2010234663.tif 000005
【図４】
2010234663.tif 000006
【図５】
2010234663.tif 000007
【図６】
2010234663.tif 000008
【図７】
2010234663.tif 000009